(57)【要約】【課題】  スライバの物理的一体性を維持する一方、輸送がスライバ用ケンス内で行われることを必要とせずに、圧縮状態における効率的輸送を許容すべくスライバを梱包するシステムおよび方法を提供する。【解決手段】  たとえば綿、合成繊維または合成繊維配合物の繊維スライバを梱包するシステムおよび方法においては、スライバの積層物が投入載置され、投入載置されたスライバは頂部部材と底部部材との間で圧縮され、且つ、上記繊維積層物は上記頂部部材および底部部材と共にストラップ掛けされることで、ストラップ掛けされた繊維梱包物が形成される。【選択図】      図１
2006096419.tif 000002
【特許請求の範囲】
【請求項１】
綿スライバの輸送のために該綿スライバを梱包する方法であって、
概ね均一な第１密度を有するパターンをなして上記スライバを概ね長楕円形のスライバ用ケンスの内側に配設された底部キャップ上に布置する段階と、
上記布置されたスライバの頂上に頂部キャップを載置する段階と、
上記頂部および底部キャップに対して圧力を付与することで上記スライバを上記第１密度よりも概ね大きな第２密度へと圧縮する段階であって、その結果として圧縮されたスライバは概ね堅固であるという段階と、
上記圧縮されたスライバおよび各キャップをストラップ掛けして概ね堅固な梱包物を形成する段階とを備えて成る、
綿スライバを梱包する方法。
【請求項２】
前記圧縮されたスライバを前記スライバ用ケンスから押し出す段階を更に備えて成る、請求項１記載の綿スライバを梱包する方法。
【請求項３】
前記梱包物を保護用外側カバー内に載置する段階を更に備えて成る、請求項１または２に記載の綿スライバを梱包する方法。
【請求項４】
前記各キャップは、前記ストラップ掛けと組み合わされて前記スライバ梱包物の分解を防止するに十分な剛性を有する材料で形成される、請求項１から３のいずれか一項に記載の綿スライバを梱包する方法。
【請求項５】
前記各キャップの少なくとも一方は段ボール紙で形成される、請求項１から４のいずれか一項に記載の綿スライバを梱包する方法。
【請求項６】
前記各キャップの少なくとも一方は繊維板で形成される、請求項１から５のいずれか一項に記載の綿スライバを梱包する方法。
【請求項７】
前記各キャップは、前記ストラップ掛けの位置を決定してそれを受け入れる凹所を備える、請求項１から６のいずれか一項に記載の綿スライバを梱包する方法。
【請求項８】
前記各キャップに付与される前記圧力は少なくとも２２０６３．２３ｋＰａ（３２００ｐｓｉ）である、請求項１から７のいずれか一項に記載の綿スライバを梱包する方法。
【請求項９】
連続長さの綿スライバの輸送のために該綿スライバを梱包する方法であって、
上記スライバを練篠機から引き出す段階と、
概ね均一な非圧縮密度を有するパターンをなして上記スライバを、長さ方向寸法が幅方向寸法よりも概ね長寸であるという長さ方向寸法および幅方向寸法を有するケンス内に布置する段階と、
上記ケンスを圧縮ベール作成機へと引渡す段階と、
上記ケンスの基部から上方へと上記スライバを加圧することでスライバ端部を圧縮して該スライバを上記ケンスから取出す段階と、
上記スライバにストラップを掛けることで、スライバ梱包物を形成し、且つ、該梱包物の取扱いを可能とすべく選択された所望の圧縮密度にて該梱包物を保持する段階とを備えて成る、
梱包方法。
【請求項１０】
前記スライバに対して頂部および底部キャップを装着することで、圧縮と、該圧縮の保持とを促進する段階を更に備えて成る、請求項９記載の梱包方法。
【請求項１１】
前記各キャップは、前記ストラップ掛けと組み合わされて前記スライバ梱包物の分解を防止するに十分な剛性を有する材料で形成される、請求項１０記載の綿スライバを梱包する方法。
【請求項１２】
前記各キャップの少なくとも一方は段ボール紙で形成される、請求項１０または１１に記載の綿スライバを梱包する方法。
【請求項１３】
前記各キャップの少なくとも一方は繊維板で形成される、請求項１０または１１に記載の綿スライバを梱包する方法。
【請求項１４】
前記各キャップは、前記ストラップ掛けの位置を決定してそれを受け入れる凹所を備える、請求項１０乃至１３のいずれか一項に記載の綿スライバを梱包する方法。
【請求項１５】
前記梱包物を保護用袋体内に載置する段階を更に備えて成る、請求項９乃至１４のいずれか一項に記載の綿スライバを梱包する方法。
【請求項１６】
前記スライバを加圧する前記段階は前記各キャップに対して少なくとも２２０６３．２３ｋＰａ（３２００ｐｓｉ）にて圧力を付与する段階を含む、請求項９乃至１５のいずれか一項に記載の綿スライバを梱包する方法。
【請求項１７】
綿スライバの輸送のために該綿スライバを効率的に梱包するシステムであって、
幅方向寸法と、該幅方向寸法よりも概ね大きい長さ方向寸法とを有する長楕円形のスライバ用ケンスであって、開放頂部を介して投入載置されたスライバを均一密度にて受容すべく且つ蓄積されたスライバの積層物が梱包時に当該ケンスを介して上方に押圧されるのを許容すべく構成された長楕円形のスライバ用ケンスと、
上記スライバ積層物の底面に対して選択圧力を付与することで該スライバを所望密度へと圧縮すべく構成された少なくとも一本の押し棒を含み、且つ、上記スライバ積層物の頂面に対して反対圧力を付与する手段を含むベール作成装置と、
上記圧縮されたスライバ積層物に対して一本以上のストラップを掛けることで、該圧縮されたスライバ積層物をスライバ梱包物として圧縮状態にて保持するストラップ掛け装置とを備えて成る、
システム。
【請求項１８】
前記スライバを生成し、且つ、該スライバの投入載置を前記ケンス内へと導向する練篠機を更に備えて成る、請求項１７記載のシステム。
【請求項１９】
積荷されたケンスを前記練篠機から前記ベール作成装置へと引渡すコンベアを更に備えて成る、請求項１８記載のシステム。
【請求項２０】
前記スライバ梱包物を前記ベール作成装置から押圧する手段を更に備えて成る、請求項１７乃至１９のいずれか一項に記載のシステム。
【請求項２１】
長楕円形の占有面積と概ね均一な初期密度とを有する積層物へと蓄積されると共に、上記積層物は概ね更に大きい概ね均一な圧縮密度へと圧縮されているという概ね連続長さの綿スライバと、
上記積層物の頂部上に配設されると共に、該積層物の占有面積と概ね同一の占有面積を有する頂部キャップと、
上記積層物の底部上に配設されると共に、該積層物の占有面積と概ね同一の占有面積を有する底部キャップと、
上記圧縮された積層物および上記各キャップの回りに配設されて該積層物を圧縮状態に保持する複数本のストラップとを備えて成る、
効率的輸送に適したスライバ梱包物。
【請求項２２】
前記ストラップ掛けされた積層物に対する保護カバーを更に備えて成る、請求項２１記載のスライバ梱包物。
【請求項２３】
前記各キャップの少なくとも一方は繊維板で形成される、請求項２１または２２に記載のスライバ梱包物。
【請求項２４】
前記各キャップの少なくとも一方は段ボール紙で形成される、請求項２１乃至２３のいずれか一項に記載のスライバ梱包物。
【請求項２５】
前記各キャップの少なくとも一方はプラスチックで形成される、請求項２１乃至２４のいずれか一項に記載のスライバ梱包物。
【請求項２６】
前記ストラップ掛けされた積層物は合着単位体であるべく十分に堅固である、請求項２１乃至２５のいずれか一項に記載のスライバ梱包物。
【請求項２７】
スライバ引渡しデバイスと、
上記引渡しデバイスにより引渡された繊維スライバを受容して収集するスライバ受容手段と、
上記収集された繊維スライバを圧縮するデバイスと、該圧縮されたスライバ積層物に対して一本以上のストラップを掛けるデバイスとを備える梱包装置とを備えて成る、
繊維スライバを取扱うシステム。
【請求項２８】
前記スライバ受容手段は、
前記引渡しデバイスにより引渡された繊維スライバを自立スライバ積層物の形態で受容する受容表面と、
上記スライバを圧縮するデバイスと、上記圧縮されたスライバ積層物に対して一本以上のストラップを掛けるデバイスとを備えて成る梱包装置と、
を備えて成る、
ケンス無しシステムである請求項２７記載のシステム。
【請求項２９】
前記スライバ積層物上に頂部キャップを載置する手段を更に備えて成る請求項２７または２８に記載のケンス無しシステムであって、
上記スライバ積層物は上記頂部キャップおよび底部キャップとの間で圧縮されている、ケンス無しシステム。
【請求項３０】
前記受容表面および前記底部キャップの両者として作用し得る部材を備えて成る、請求項２９記載のケンス無しシステム。
【請求項３１】
前記繊維スライバは、受容表面としての第１平坦部材上に受容され、且つ、その後に自立スライバ積層物として前記底部キャップ上へと転送される、請求項２９記載のケンス無しシステム。
【請求項３２】
前記受容手段の位置は垂直位置において固定される、請求項２８乃至３１のいずれか一項に記載のシステム。
【請求項３３】
前記受容手段は垂直に上昇および下降されるべく配置される、請求項２８乃至３１のいずれか一項に記載のシステム。
【請求項３４】
前記受容手段はコンベア・ベルトの上側表面である、請求項２８乃至３１のいずれか一項に記載のシステム。
【請求項３５】
前記受容手段は前記投入載置されたスライバを移動させる搬送デバイスの一部である、請求項２８乃至３４のいずれか一項に記載のシステム。
【請求項３６】
前記搬送デバイスはキャリッジである、請求項３５記載のシステム。
【請求項３７】
前記受容手段は前記搬送デバイス上に配置されたコンベア・ベルトの一部である、請求項３５または３６に記載のシステム。
【請求項３８】
前記引渡しデバイスは回転プレートである、請求項２８乃至３７のいずれか一項に記載のシステム。
【請求項３９】
前記繊維スライバは複数のリング状に投入載置される、請求項２８乃至３８のいずれか一項に記載のシステム。
【請求項４０】
前記スライバ受容手段は水平に前後移動し得る、請求項２８乃至３９のいずれか一項に記載のシステム。
【請求項４１】
収集された前記繊維スライバを投入載置領域から移動させる機械的手段を備えて成る、請求項２８乃至４０のいずれか一項に記載のシステム。
【請求項４２】
前記機械的手段は押圧デバイスもしくは摺動デバイスである、請求項４１記載のシステム。
【請求項４３】
前記受容手段に対して配備された昇降デバイスを有する、請求項２８乃至４２のいずれか一項に記載のシステム。
【請求項４４】
前記昇降デバイスは、液体圧シリンダ、空気圧シリンダ、開閉式ジャッキ・フレームおよびスプリング要素の内のひとつ以上を備えて成る、請求項４３記載のシステム。
【請求項４５】
前記受容手段は揚動用プラットフォームの一部である、請求項４３または４４に記載のシステム。
【請求項４６】
前記揚動用プラットフォームはプレートである、請求項４５記載のシステム。
【請求項４７】
前記揚動用プラットフォームは、その上側表面上にて、前記収集された繊維スライバの摺動を増進すべく配置構成される、請求項４５記載のシステム。
【請求項４８】
前記投入載置された繊維スライバは前記投入載置領域から基礎部材へと搬送されるべく配置される、請求項２８乃至４７のいずれか一項に記載のシステム。
【請求項４９】
少なくとも一個のスライバ用ケンスと、
投入載置されたスライバ積層物を、引き続くストラップ掛けのために上記スライバ用ケンスから取出す手段とを更に備えて成る、請求項２７記載のシステム。
【請求項５０】
前記スライバは前記ケンスから取出される前に圧縮され得る、請求項４９記載のシステム。
【請求項５１】
前記スライバが前記ケンスから取出された後に該スライバを圧縮する手段を備えて成る、請求項４９または５０に記載のシステム。
【請求項５２】
前記投入載置された繊維スライバを受容すべく前記ケンス内に着脱自在に位置決めされるべく配置された底部キャップを備えて成る、請求項４９乃至５１のいずれか一項に記載のシステム。
【請求項５３】
頂面と底面とを有すると共に頂部部材と底部部材との間に把持された繊維スライバ積層物を梱包する装置であって、
上記頂部部材および底部部材の少なくとも一方に対して圧力を付与して上記スライバ積層物を所望密度に圧縮する手段と、
上記圧縮されたスライバ積層物に対して一本以上のストラップを掛けることで該圧縮されたスライバ積層物をスライバ梱包物として圧縮状態にて保持するストラップ掛けデバイスとを備えて成る、
梱包装置。
【請求項５４】
前記繊維スライバは綿および／または合成繊維および／または合成繊維配合物から成る、請求項２７乃至５２のいずれか一項に記載のシステムまたは請求項５３記載の装置。
【請求項５５】
前記繊維スライバは綿および／または合成繊維および／または合成繊維配合物から成る、請求項２１乃至２６のいずれか一項に記載のスライバ梱包物。
【請求項５６】
前記引渡しデバイスは練篠機の一部である、請求項２８乃至４９のいずれか一項に記載のケンス無しシステム。
【請求項５７】
前記引渡しデバイスはカード機の一部である、請求項２８乃至４９のいずれか一項に記載のケンス無しシステム。
【請求項５８】
前記引渡しデバイスは精梳綿機の一部である、請求項２８乃至４９のいずれか一項に記載のケンス無しシステム。
【請求項５９】
前記自立スライバ積層物は長楕円形の占有面積を有する、請求項２８乃至４９のいずれか一項に記載のケンス無しシステム。
【発明の詳細な説明】
【技術分野】
【０００１】
本発明は、取扱いおよび搬送のために例えば綿および／または合成繊維および／または合成繊維配合物の繊維スライバなどの繊維スライバを効率的に梱包（ｐａｃｋａｇｅ）するシステムおよび方法に関する。
【背景技術】
【０００２】
綿もしくは合成繊維などの短繊維（ｓｔａｐｌｅ  ｆｉｂｅｒ）から原糸（ｙａｒｎ）を生成するプロセスは習用的に、短繊維の開繊（ｏｐｅｎｉｎｇ）および精選（ｃｌｅａｎｉｎｇ）段階と原糸の紡績（ｓｐｉｎｎｉｎｇ）および巻取り（ｗｉｎｄｉｎｇ）段階との間の中間段階として、スライバ（ｓｌｉｖｅｒ）として公知である処の、緩く合着（ｃｏａｌｅｓｃｅｎｔ）された嵩高い一塊の繊維の形成を含む。スライバにおいて、綿繊維は概略的に長さ方向関係で整列されるが、スライバ単位体はそれ自体の重量に対してさえも、繊維の分離に抗するための撚り合わせもしくは強度を保有していない。
【０００３】
製糸業界の熟練者であれば、原糸の品質はスライバの品質に対して直接的に関連することを認識し得よう。たとえば均一な太さ及び密度のスライバは均一で一貫して強力な原糸を形成する一方、瘤（こぶ）（過剰に太い領域）もしくは空隙（更に細い領域）を有するスライバは何よりも先ず、品質の一貫しない原糸を形成する。処理の間において原糸から斯かる欠陥を除去し得るプロセスは開発されているが、これは非効率的なプロセスであることから、スライバにおける欠陥を最小限とすることが望ましい。取扱いの間においてスライバは特に、強度および弾性の欠如の故に、瘤および空隙が導入されやすい。
【０００４】
これらの理由のために、従来の主な考えは、スライバの付加的な取扱いおよび移動が必要とされるであろうことから、且つ、スライバに対する習用的な取扱い方法はそれ自体が梱包の解決策を与えるものでないことから、スライバの梱包は困難で望ましくないということであった。しかしこの考えは、近年普及した製造プロセスに適してはいない。すなわち多くの場合、製糸プロセスの一部はひとつの工場にて行われ、第２の部分は別の工場で行われ、第３の部分は更に別の工場で行われる如く、処理工場の各機能を特化させることが更に効率的であると考えられる。故に、スライバの形成などの特定機能が所定の工場に特化されるべきであれば、スライバの搬送が必要なのである。
【０００５】
従来、スライバは、処理された嵩高い綿から、練篠機（ｄｒａｗ  ｆｒａｍｅ）、カード（ｃａｒｄ）もしくは精梳綿機（ｃｏｍｂ）を用いて引き出されると共に、プラスチックもしくは他の耐久材料で作成された円筒状のスライバ用ケンス（ｓｌｉｖｅｒ  ｃａｎ）内へと円形列で投入載置される。これらのスライバ用ケンスによればスライバに対して過剰に手を触れること無く大容量のスライバが移動され得るが、斯かるケンスは高価で高重量である。工場の集合施設における異なる建物同士などの様に、踏破されるべき距離が短ければ、それほどの困難性なしでスライバはスライバ用ケンス内とされて搬送され得る。しかし、長距離輸送もしくは海外輸送を利用するなどの様に、踏破されるべき距離が長ければ、ケンスの重量および費用、無負荷のケンスを輸送する必要性、および、復元されたスライバの極めて小さな密度の故に、斯かる輸送は不適切かつ非効率的である。綿の輸送費用に関して概略的に、決定的要因は材料の重量ではなく体積である。
【発明の開示】
【発明が解決しようとする課題】
【０００６】
綿繊維を圧縮するベーリング（ｂａｌｉｎｇ）などの従来方法は、習用の円筒状ケンス内に投入載置されるスライバに対しては非実用的なことが判明している。その理由は、円筒状ケンス内へのスライバの習用の投入載置パターンであって本質的に同心的な円形のスライバ列のパターンは、概ね均一なスライバ密度に帰着しないということである。特に、ケンスの中央におけるスライバの密度は、縁部の近傍におけるスライバの密度よりも大きい。もし円筒状ケンス内のスライバが該ケンスの中央においてスライバの実用的な最大密度まで圧縮されるとすれば、縁部におけるスライバは、結果的な圧縮梱包物の取扱いを許容するに十分なほどに圧縮はされる。しかし、斯かる圧縮は安定した梱包物には帰着しない。故にこれまで、スライバの圧縮は非実用的と思われて来た。
【０００７】
結果として、通常の様式は、概ね全ての段階を同一の箇所で行うことで短繊維を処理して原糸とすることである。しかしこれは多くの場合において融通の利かない資本集約的で非効率的な配置構成である、と言うのも、綿繰り機の近傍における（故に綿畑の近傍における）精選およびカーディングなどの一定の作業は製糸業者側で行うことが望まれるが、紡績などの他の作業は労働力もしくは設備のコストが低い地域で行うことが望まれるからである。
【０００８】
必要とされるのは、スライバの物理的一体性を維持する一方、輸送がスライバ用ケンス内で行われることを必要とせずに、圧縮状態における効率的輸送を許容すべくスライバを梱包するシステムおよび方法である。
【課題を解決するための手段】
【０００９】
上記の要望に従い、本発明は綿スライバの輸送のために該綿スライバを梱包する方法を包含する。該方法は、概ね長楕円形のスライバ用ケンスの内側に配設された底部キャップ上へと概ね均一な第１密度を有するパターンで上記スライバを布置する段階を含む。次に上記スライバ上には頂部キャップが載置され、且つ、上記頂部および底部キャップに対して圧力が付与されることで上記スライバは上記第１密度よりも概ね大きな第２密度へと圧縮される。好適には、上記各キャップに対して付与される上記圧力は少なくとも２２０６３．２３ｋＰａ（３２００ｐｓｉ）であり且つ相当に高圧とされ得る。
【００１０】
上記第２密度において、上記圧縮されたスライバは概ね堅固かつ中実であると共に、瘤もしくは空隙を導入せずに或いはスライバを破損せずに取扱われ得る。上記スライバを上記第２密度に保持するために、上記圧縮されたスライバおよび各キャップはストラップ掛けされて概ね堅固な梱包物を形成する。上記各キャップは好適には、上記ストラップと組み合わされて上記スライバ梱包物の分解を防止するに十分である実質的な剛性を有する段ボール紙、繊維板またはプラスチックなどの材料で形成される。上記各キャップはまた、上記ストラップ掛けの位置を決定してそれを受け入れる凹所を備える。
【００１１】
更なる段階において、上記圧縮されたスライバは、該スライバを圧縮する上記段階の一部としてまたはそれに引き続き、上記スライバ用ケンスから押し出され得る。選択的に、上記梱包物は保護用外側カバー内に載置され得る。
【００１２】
本発明はまた、連続長さの綿スライバの輸送のために該綿スライバを梱包する方法も包含する。本発明の該方法は、上記スライバを練篠機から引き出す段階と、上記スライバを、長さ方向寸法が幅方向寸法よりも概ね長寸であるという長さ方向寸法および幅方向寸法を有するケンス内へと、概ね均一な非圧縮密度を有するパターンにて布置する段階とを含む。上記ケンスは次に圧縮ベール作成機へと引渡され、且つ、選択的には全体的として２２０６３．２３ｋＰａ（３２００ｐｓｉ）以上の圧力を以て上記スライバは上記ケンスの基部から上方へと押圧されることで圧縮され且つ該スライバは上記ケンスから取出される。上記スライバに対してはストラップが掛けられることで、スライバ梱包物が形成され、且つ、該梱包物の取扱いを可能とすべく選択された所望の圧縮密度にて該梱包物が保持される。
【００１３】
更なる段階において、上記スライバの頂部および底部に対しては頂部および底部キャップが装着されることで、圧縮と、該圧縮の保持とが促進される。上記各キャップは好適には、上記ストラップ掛けと組み合わされて上記スライバ梱包物の分解を防止するに十分な剛性を有する段ボール紙、繊維板またはプラスチックなどの材料で形成される。上記各キャップは、上記ストラップ掛けの位置を決定してそれを受け入れる凹所を備え得る。
【００１４】
保護のために、上記梱包物は保護用袋体内に載置され得る。
【００１５】
本発明は更に、綿スライバの輸送のために該綿スライバを効率的に梱包するシステムを包含する。該システムは、少なくとも一個の長楕円形のスライバ用ケンスと、ベール作成装置と、ストラップ掛け装置とを含む。上記スライバ用ケンスは、幅方向寸法と、該幅方向寸法よりも概ね大きい長さ方向寸法とを有する。該ケンスは、開放頂部を介して投入載置されたスライバを均一密度にて受容すべく且つ蓄積されたスライバの積層物が梱包の間において当該ケンスを介して上方に押圧されるのを許容すべく構成される。
【００１６】
上記ベール作成装置は、上記スライバ積層物の底面に対して選択圧力を付与することで該スライバを所望密度へと圧縮すべく構成された少なくとも一本の押し棒を含む。上記ベール作成装置はまた、上記スライバ積層物の頂面に対して反対圧力を付与する第２押し棒、ブロックもしくは他の任意で適切な部材などの手段も含む。
【００１７】
上記ストラップ掛け装置は、上記圧縮されたスライバ積層物に対して一本以上のストラップを掛けることで、該圧縮されたスライバ積層物をスライバ梱包物として圧縮状態にて保持する。
【００１８】
本発明はまた、スライバを生成する練篠機であって上記ケンス内へのスライバの投入載置を検出する練篠機も包含し得る。また、積荷されたケンスを上記練篠機から上記ベール作成装置へと引渡すコンベアも含まれる。
【００１９】
本発明の更なる特徴は、上記ベール作成装置からスライバ梱包物を押圧する手段である。この押圧手段は、スライバ梱包物に対して側方力を付与する液体圧もしくは空気圧ピストンまたはコンベアなどの任意の適切なデバイスを含み得る。
【００２０】
本発明の更なる実施例において、効率的輸送に適したスライバ梱包物は、長楕円形の占有面積と概ね均一な初期密度とを有する積層物へと蓄積された概ね連続長さの綿スライバを含む。上記積層物は概ね更に大きい概ね均一な圧縮密度へと圧縮されている。上記積層物の頂部上には頂部キャップが配設され、且つ、上記積層物の底部上には底部キャップが配設される。上記キャップは各々、上記積層物の占有面積と概ね同一の占有面積を有する。上記圧縮された積層物および上記各キャップの回りには該積層物を圧縮状態に保持するために複数本のストラップが配設される。
【００２１】
本発明はまた、スライバ引渡しデバイスと、上記引渡しデバイスにより引渡された繊維スライバを受容して収集するスライバ受容手段と、上記収集された繊維スライバを圧縮するデバイスと、該圧縮されたスライバ積層物に対して一本以上のストラップを掛けるデバイスとを備える梱包装置とを備えて成る、繊維スライバを取扱うシステムも提供する。一好適実施例において、上記システムはケンス無しシステムであり、前記スライバ受容手段は、前記引渡しデバイスにより引渡された繊維スライバを自立スライバ積層物の形態で受容する受容表面と；上記スライバを圧縮するデバイスと、上記圧縮されたスライバ積層物に対して一本以上のストラップを掛けるデバイスとを備えて成る梱包装置と；を備えて成る。上記システムの更なる好適特徴は従属請求項２９乃至４８に示される。
【００２２】
別の好適実施例において上記システムは、少なくとも一個のスライバ用ケンスと、投入載置されたスライバを、引き続くストラップ掛けのために上記スライバ用ケンスから取出す手段とを備えて成る。
【００２３】
本発明のスライバ梱包物は、上記ストラップ掛けされた積層物に対する保護カバーを含み得る。上記各キャップの少なくとも一方は、繊維板、段ボール紙またはプラスチックで形成され得る。上記ストラップ掛けされた積層物は好適には、合着単位体であるべく十分に堅固である。
【００２４】
１番目の発明によれば、綿スライバの輸送のために該綿スライバを梱包する方法であって、概ね均一な第１密度を有するパターンをなして上記スライバを概ね長楕円形のスライバ用ケンスの内側に配設された底部キャップ上に布置する段階と、上記布置されたスライバの頂上に頂部キャップを載置する段階と、上記頂部および底部キャップに対して圧力を付与することで上記スライバを上記第１密度よりも概ね大きな第２密度へと圧縮する段階であって、その結果として圧縮されたスライバは概ね堅固であるという段階と、上記圧縮されたスライバおよび各キャップをストラップ掛けして概ね堅固な梱包物を形成する段階とを備えて成る、綿スライバを梱包する方法が提供される。
２番目の発明によれば、１番目の発明において、前記圧縮されたスライバを前記スライバ用ケンスから押し出す段階を更に備えて成る。
３番目の発明によれば、１番目または２番目の発明において、前記梱包物を保護用外側カバー内に載置する段階を更に備えて成る。
４番目の発明によれば、１番目から３番目のいずれかの発明において、前記各キャップは、前記ストラップ掛けと組み合わされて前記スライバ梱包物の分解を防止するに十分な剛性を有する材料で形成される。
５番目の発明によれば、１番目から４番目のいずれかの発明において、前記各キャップの少なくとも一方は段ボール紙で形成される。
６番目の発明によれば、１番目から５番目のいずれかの発明において、前記各キャップの少なくとも一方は繊維板で形成される。
７番目の発明によれば、１番目から６番目のいずれかの発明において、前記各キャップは、前記ストラップ掛けの位置を決定してそれを受け入れる凹所を備える。
８番目の発明によれば、１番目から７番目のいずれかの発明において、前記各キャップに付与される前記圧力は少なくとも２２０６３．２３ｋＰａ（３２００ｐｓｉ）である。
９番目の発明によれば、連続長さの綿スライバの輸送のために該綿スライバを梱包する方法であって、上記スライバを練篠機から引き出す段階と、概ね均一な非圧縮密度を有するパターンをなして上記スライバを、長さ方向寸法が幅方向寸法よりも概ね長寸であるという長さ方向寸法および幅方向寸法を有するケンス内に布置する段階と、上記ケンスを圧縮ベール作成機へと引渡す段階と、上記ケンスの基部から上方へと上記スライバを加圧することでスライバ端部を圧縮して該スライバを上記ケンスから取出す段階と、上記スライバにストラップを掛けることで、スライバ梱包物を形成し、且つ、該梱包物の取扱いを可能とすべく選択された所望の圧縮密度にて該梱包物を保持する段階とを備えて成る、梱包方法が提供される。
１０番目の発明によれば、９番目の発明において、前記スライバに対して頂部および底部キャップを装着することで、圧縮と、該圧縮の保持とを促進する段階を更に備えて成る。
１１番目の発明によれば、１０番目の発明において、前記各キャップは、前記ストラップ掛けと組み合わされて前記スライバ梱包物の分解を防止するに十分な剛性を有する材料で形成される。
１２番目の発明によれば、１０番目または１１番目の発明において、前記各キャップの少なくとも一方は段ボール紙で形成される。
１３番目の発明によれば、１０番目または１１番目の発明において、前記各キャップの少なくとも一方は繊維板で形成される。
１４番目の発明によれば、１０番目から１３番目のいずれかの発明において、前記各キャップは、前記ストラップ掛けの位置を決定してそれを受け入れる凹所を備える。
１５番目の発明によれば、９番目から１４番目のいずれかの発明において、前記梱包物を保護用袋体内に載置する段階を更に備えて成る。
１６番目の発明によれば、９番目から１５番目のいずれかの発明において、前記スライバを加圧する前記段階は前記各キャップに対して少なくとも２２０６３．２３ｋＰａ（３２００ｐｓｉ）にて圧力を付与する段階を含む。
１７番目の発明によれば、綿スライバの輸送のために該綿スライバを効率的に梱包するシステムであって、幅方向寸法と、該幅方向寸法よりも概ね大きい長さ方向寸法とを有する長楕円形のスライバ用ケンスであって、開放頂部を介して投入載置されたスライバを均一密度にて受容すべく且つ蓄積されたスライバの積層物が梱包時に当該ケンスを介して上方に押圧されるのを許容すべく構成された長楕円形のスライバ用ケンスと、上記スライバ積層物の底面に対して選択圧力を付与することで該スライバを所望密度へと圧縮すべく構成された少なくとも一本の押し棒を含み、且つ、上記スライバ積層物の頂面に対して反対圧力を付与する手段を含むベール作成装置と、上記圧縮されたスライバ積層物に対して一本以上のストラップを掛けることで、該圧縮されたスライバ積層物をスライバ梱包物として圧縮状態にて保持するストラップ掛け装置とを備えて成る、システムが提供される。
１８番目の発明によれば、１７番目の発明において、前記スライバを生成し、且つ、該スライバの投入載置を前記ケンス内へと導向する練篠機を更に備えて成る。
１９番目の発明によれば、１８番目の発明において、積荷されたケンスを前記練篠機から前記ベール作成装置へと引渡すコンベアを更に備えて成る。
２０番目の発明によれば、１７番目から１９番目のいずれかの発明において、前記スライバ梱包物を前記ベール作成装置から押圧する手段を更に備えて成る。
２１番目の発明によれば、長楕円形の占有面積と概ね均一な初期密度とを有する積層物へと蓄積されると共に、上記積層物は概ね更に大きい概ね均一な圧縮密度へと圧縮されているという概ね連続長さの綿スライバと、上記積層物の頂部上に配設されると共に、該積層物の占有面積と概ね同一の占有面積を有する頂部キャップと、上記積層物の底部上に配設されると共に、該積層物の占有面積と概ね同一の占有面積を有する底部キャップと、上記圧縮された積層物および上記各キャップの回りに配設されて該積層物を圧縮状態に保持する複数本のストラップとを備えて成る、効率的輸送に適したスライバ梱包物が提供される。
２２番目の発明によれば、２１番目の発明において、前記ストラップ掛けされた積層物に対する保護カバーを更に備えて成る。
２３番目の発明によれば、２１番目または２２番目の発明において、前記各キャップの少なくとも一方は繊維板で形成される。
２４番目の発明によれば、２１番目から２３番目のいずれかの発明において、前記各キャップの少なくとも一方は段ボール紙で形成される。
２５番目の発明によれば、２１番目から２４番目のいずれかの発明において、前記各キャップの少なくとも一方はプラスチックで形成される。
２６番目の発明によれば、２１番目から２５番目のいずれかの発明において、前記ストラップ掛けされた積層物は合着単位体であるべく十分に堅固である。
２７番目の発明によれば、スライバ引渡しデバイスと、上記引渡しデバイスにより引渡された繊維スライバを受容して収集するスライバ受容手段と、上記収集された繊維スライバを圧縮するデバイスと、該圧縮されたスライバ積層物に対して一本以上のストラップを掛けるデバイスとを備える梱包装置とを備えて成る、繊維スライバを取扱うシステムが提供される。
２８番目の発明によれば、２７番目の発明において、前記スライバ受容手段は、前記引渡しデバイスにより引渡された繊維スライバを自立スライバ積層物の形態で受容する受容表面と、上記スライバを圧縮するデバイスと、上記圧縮されたスライバ積層物に対して一本以上のストラップを掛けるデバイスとを備えて成る梱包装置と、を備えて成る、ケンス無しシステムである。
２９番目の発明によれば、２７番目または２８番目の発明において、前記スライバ積層物上に頂部キャップを載置する手段を更に備えて成り、上記スライバ積層物は上記頂部キャップおよび底部キャップとの間で圧縮されている。
３０番目の発明によれば、２９番目の発明において、前記受容表面および前記底部キャップの両者として作用し得る部材を備えて成る。
３１番目の発明によれば、２９番目の発明において、前記繊維スライバは、受容表面としての第１平坦部材上に受容され、且つ、その後に自立スライバ積層物として前記底部キャップ上へと転送される。
３２番目の発明によれば、２８番目から３１番目のいずれかの発明において、前記受容手段の位置は垂直位置において固定される。
３３番目の発明によれば、２８番目から３１番目のいずれかの発明において、前記受容手段は垂直に上昇および下降されるべく配置される。
３４番目の発明によれば、２８番目から３１番目のいずれかの発明において、前記受容手段はコンベア・ベルトの上側表面である。
３５番目の発明によれば、２８番目から３４番目のいずれかの発明において、前記受容手段は前記投入載置されたスライバを移動させる搬送デバイスの一部である。
３６番目の発明によれば、３５番目の発明において、前記搬送デバイスはキャリッジである。
３７番目の発明によれば、３５番目または３６番目の発明において、前記受容手段は前記搬送デバイス上に配置されたコンベア・ベルトの一部である。
３８番目の発明によれば、２８番目から３７番目のいずれかの発明において、前記引渡しデバイスは回転プレートである。
３９番目の発明によれば、２８番目から３８番目のいずれかの発明において、前記繊維スライバは複数のリング状に投入載置される。
４０番目の発明によれば、２８番目から３９番目のいずれかの発明において、前記スライバ受容手段は水平に前後移動し得る。
４１番目の発明によれば、２８番目から４０番目のいずれかの発明において、収集された前記繊維スライバを投入載置領域から移動させる機械的手段を備えて成る。
４２番目の発明によれば、４１番目の発明において、前記機械的手段は押圧デバイスもしくは摺動デバイスである。
４３番目の発明によれば、２８番目から４２番目のいずれかの発明において、前記受容手段に対して配備された昇降デバイスを有する。
４４番目の発明によれば、４３番目の発明において、前記昇降デバイスは、液体圧シリンダ、空気圧シリンダ、開閉式ジャッキ・フレームおよびスプリング要素の内のひとつ以上を備えて成る。
４５番目の発明によれば、４３番目または４４番目の発明において、前記受容手段は揚動用プラットフォームの一部である。
４６番目の発明によれば、４５番目の発明において、前記揚動用プラットフォームはプレートである。
４７番目の発明によれば、４５番目の発明において、前記揚動用プラットフォームは、その上側表面上にて、前記収集された繊維スライバの摺動を増進すべく配置構成される。
４８番目の発明によれば、２８番目から４７番目のいずれかの発明において、前記投入載置された繊維スライバは前記投入載置領域から基礎部材へと搬送されるべく配置される。
４９番目の発明によれば、２７番目の発明において、少なくとも一個のスライバ用ケンスと、投入載置されたスライバ積層物を、引き続くストラップ掛けのために上記スライバ用ケンスから取出す手段とを更に備えて成る。
５０番目の発明によれば、４９番目の発明において、前記スライバは前記ケンスから取出される前に圧縮され得る。
５１番目の発明によれば、４９番目または５０番目の発明において、前記スライバが前記ケンスから取出された後に該スライバを圧縮する手段を備えて成る。
５２番目の発明によれば、４９番目から５１番目のいずれかの発明において、前記投入載置された繊維スライバを受容すべく前記ケンス内に着脱自在に位置決めされるべく配置された底部キャップを備えて成る。
５３番目の発明によれば、頂面と底面とを有すると共に頂部部材と底部部材との間に把持された繊維スライバ積層物を梱包する装置であって、上記頂部部材および底部部材の少なくとも一方に対して圧力を付与して上記スライバ積層物を所望密度に圧縮する手段と、上記圧縮されたスライバ積層物に対して一本以上のストラップを掛けることで該圧縮されたスライバ積層物をスライバ梱包物として圧縮状態にて保持するストラップ掛けデバイスとを備えて成る、梱包装置が提供される。
５４番目の発明によれば、２７番目から５２番目のいずれかの発明、もしくは５３番目の発明において、前記繊維スライバは綿および／または合成繊維および／または合成繊維配合物から成る。
５５番目の発明によれば、２１番目から２６番目のいずれかの発明において、前記繊維スライバは綿および／または合成繊維および／または合成繊維配合物から成る。
５６番目の発明によれば、２８番目から４９番目のいずれかの発明において、前記引渡しデバイスは練篠機の一部である。
５７番目の発明によれば、２８番目から４９番目のいずれかの発明において、前記引渡しデバイスはカード機の一部である。
５８番目の発明によれば、２８番目から４９番目のいずれかの発明において、前記引渡しデバイスは精梳綿機の一部である。
５９番目の発明によれば、２８番目から４９番目のいずれかの発明において、前記自立スライバ積層物は長楕円形の占有面積を有する。
【発明を実施するための最良の形態】
【００２５】
以下において本発明は図面に示された好適実施例に関して相当に詳細に記述される。
先ず各図面を参照すると図１（ａ）および図１（ｂ）は夫々、効率的輸送のために圧縮かつバンド掛けされた本発明に係るスライバ梱包物（ｓｌｉｖｅｒ  ｐａｃｋａｇｅ）１０の斜視図および側面図である。スライバ梱包物１０は、長楕円形（ｏｂｌｏｎｇ）の占有面積を有する積層物へと蓄積される概ね連続長さの綿スライバ１２を含む。上記綿スライバの積層物の密度は全体に亙り概ね均一である、と言うのもスライバ原形体（ｓｌｉｖｅｒ  ｄｒａｆｔ）１２は、習用システムにおいてスライバが円形占有面積を以て布置されたときに生成される密度と比較して均一な密度を生成すべく設計された複数のオフセット・ループ（ｏｆｆｓｅｔ  ｌｏｏｐ）のパターンで布置されているからである。
【００２６】
図１（ａ）および図１（ｂ）において上記積層物は、スライバ梱包物１０の側部１４においてスライバ原形体１２を破損もしくは阻害せずに該スライバ梱包物１０が取扱われ得る様にスライバ梱包物１０の側部１４が十分に堅固に凝集される如く、概ね更に大きい概ね均一な圧縮密度へと圧縮されている。（以下において相当に詳細に記述されるプロセスにおいて）上記スライバ積層物が最初に布置されるときに該スライバ積層物の密度は均一であることから、上記積層物は頂部および底部からの圧縮力の導入により圧縮可能であり、これにより、圧縮プロセスの全体に亙りスライバ積層物の密度の均一性が維持される。
【００２７】
より詳細には圧縮力は、該圧縮力が付与され得る堅固な表面を提供する頂部キャップ１６および底部キャップ１８に対して付与される。頂部および底部キャップ１６、１８は好適には、圧縮プロセスに耐えるべく且つスライバ梱包物１０を圧縮状態で維持すべく十分な剛性および耐久性を有する繊維板、段ボール紙、プラスチックもしくは他の任意で適切な素材などの材料で形成される。頂部および底部キャップ１６、１８は、繊維強化プラスチックもしくは他の適切な材料で形成されたストラップもしくはバンド２０であって（キャップ１６、１８を含めて）スライバ梱包物１０を包囲すると共にキャップ１６、１８に対し且つ延いてはスライバ積層物１２に対して圧縮力を維持する所定本数のストラップもしくはバンド２０により、圧縮箇所に維持される。
【００２８】
ストラップ掛けされたスライバ梱包物１０は、輸送中にスライバが汚れたり破損することを防止するために、ポリエチレンもしくは他の適切な材料製のカバーを備え得る。スライバ密度の均一性とキャップ１６、１８により呈される構造的補強との故に、ストラップ掛けされた上記積層物は、概ねスライバに対する破損なしで取扱われ得るという合着単位体であるべく十分に堅固である。スライバ梱包物１０が所望箇所まで搬送されたなら該梱包物はストラップ解除されて弛緩され得ると共に、スライバ原形体１２は通常通りに更なる製糸作業にて使用され得る。
【００２９】
次に図２を参照すると、スライバ用ケンス３０が斜視図で示される。該スライバ用ケンスは開放頂部３１を有すると共に、（不図示の）練篠機から引き出されたスライバ３２であって概ね均一な密度のパターンで布置されて積層物１２とされたスライバ３２が積荷されている。スライバ用ケンス３０は習用の円筒状のスライバ用ケンスと比較して長楕円形であると共に、この長楕円形の形状によればスライバ３２は、積層物１２の全体に亙り概ね均一な密度を許容するオフセット円形のパターンで布置され得る。スライバ用ケンス３０は、後述の操作においてスライバ積層物１２が該ケンス３０の上方かつ外方に向けて押圧されるのを許容する開孔付き基部３４であって、一方で短距離搬送に対してはスライバ積層物１２を該ケンス内に保持するに十分な支持を提供する開孔付き基部３４を備える。図２において理解され得る如く上記スライバ用ケンスは、幅方向寸法Ａと、該幅方向寸法Ａよりも概ね長寸である長さ方向寸法Ｂとを有する。
【００３０】
本発明の方法の一部として、長楕円形の占有面積を有する底部キャップ１８は充填に先立ち上記スライバ用ケンスの底部に載置され、この底部キャップ１８が本発明の方法の生成物であるスライバ梱包物の基部を形成する。次にスライバ３２は、ケンス３０内で底部キャップ１８の頂部上に布置される。上記梱包物の基本要素は、満杯とされたスライバ用ケンス３０と、蓄積されて積層物１２とされたスライバ３２との頂部へと、底部キャップ１８と同一の外郭形状を有する頂部キャップ１６を載置することで完成される。
【００３１】
図２に示された充填済みのスライバ用ケンス３０は次に、図３に斜視図で示されるベール作成装置（ｂａｌｅｒ  ａｐｐａｒａｔｕｓ）４０へと搬送される。スライバ用ケンス３０は（不図示の）練篠機から、処理のために待ち行列とされた所定数のスライバ用ケンス３０に適合し得るコンベア４２上へと取り外される。コンベア４２は、圧縮区画４４と、上昇器区画４６と、スライバ梱包物１０を押圧する（ピストン４８などの）手段と、第２コンベア５０（図４乃至図８）とを含むベール作成装置４０にて、スライバ梱包物１０と、今や無負荷であるスライバ用ケンス３０とを収集箇所へと引渡すべく導向される。
【００３２】
ベール作成装置４０の上記各区画の好適実施例は、図４乃至図５に関して相当に詳細に示される。図４は、圧縮領域４４へと投入された充填済みのスライバ用ケンス３０を示している。スライバ用ケンス３０の基部３４における開孔を通して押し棒６０が延在し、該押し棒は、底部キャップ１８に対し、故にスライバ積層物１２に対して上向き力を及ぼすことで、頂部キャップ１６とスライバ積層物１２とに対して反対圧力を付与する剛性プレート６２などの手段６２に対してスライバ積層物１２を上方に駆動する。圧縮領域４４は、積層物１２がスライバ用ケンス３０から取出されるときに該スライバ積層物の幅方向の膨張および崩壊（分解）を阻止すべく寸法設定される。結果としてスライバ積層物１２に対しては、好適とされる約２４８２１．１３ｋＰａ（３６００ｐｓｉ）もしくは他の任意で適切な圧力が付与されることで該スライバ積層物は更に小寸で更に稠密であるが依然として均一的に稠密である合着単位体（ｃｏａｌｅｓｃｅｎｔ  ｕｎｉｔ）７０（図６参照）へと圧縮される。
【００３３】
圧縮プロセスの一部として、圧縮に続いて合着単位体７０をその圧縮状態に保持するためにスライバ積層物１２の回りには一群のストラップ２０が載置される。これらのストラップ２０は図５においてスライバ積層物１２の回りに全く完全には延在していないが、図６に示された如く積層物１２が圧縮されるにつれ、各ストラップ２０はスライバ積層物１２の回りに完全に到達し得ると共に習用様式にて相互に対して締着され得る。各ストラップ２０はキャップ１６、１８も包囲することから、該キャップ１６、１８は好適には、各ストラップ２０を適切な場所に配置する対応凹所１７（図１（ｂ））であって梱包物７０の不都合な分解を阻止すべく十分なストラップ掛けが所定位置とされるのを確実とする一群の対応凹所１７を備える。
【００３４】
図７においてスライバ梱包物７０は今や、圧縮領域４４の上部に着座し且つ、無負荷のケンス７２は圧縮領域４４の下部に着座している。好適実施例におけるスライバ梱包物７０は次にピストン４８もしくは他の適切な方法を用いて該梱包物を押圧することで上昇器区画４６まで搬送され、且つ、図８において理解され得る如くコンベア５０に対する基礎レベルまで下降されることで、梱包物７０は収集箇所へと引渡され得る。同様に無負荷のケンス７２は、本発明の方法の更なる反復における再使用のために、無負荷のケンスの収集箇所へと引渡され得る。
【００３５】
次に図９を参照すると、本発明に係る方法の好適実施例はスライバ梱包物形成プロセスにおける各ステップを示すフローチャートにおいて示される。ステップ１００においては、所定の長さ方向寸法および所定の幅方向寸法を有するケンスであって長さ方向寸法は幅方向寸法よりも概ね長寸であるというケンス内へと、長楕円形の外郭形状を有する底部キャップが載置される。換言すると、上記ケンスも長楕円形である。ステップ１０２においてスライバは、練篠機からスライバ用ケンスの方向へと引き出される。ステップ１０４においてスライバは、上記底部キャップ上にて、概ね均一で非圧縮密度を有するパターンでケンス内へと布置される。
【００３６】
ステップ１０６において、布置されたスライバ積層物上には頂部キャップが載置される。上記にて言及された如く、十分な剛性を有する材料で形成された上記頂部キャップおよび底部キャップは以下で言及される如きストラップ掛けと組み合わされ、スライバ梱包物の分解を阻止する。斯かる材料としては、段ボール紙、繊維板、プラスチック、または、他の任意で適切な材料が挙げられる。上記各キャップは、それら自体がストラップの位置決定のために凹所形成され得る。
【００３７】
ステップ１０８にて、上記ケンスは圧縮ベール作成機へと引渡される。ステップ１１０にて上記スライバ積層物は次に上方に向けて押圧され、該積層物は上記キャップから押し出される。圧力は底部から付与され続け；ステップ１１２ては、上記積層物の頂部に対して反対圧力が付与されることから、該積層物は自身に対する少なくとも２２０６３．２３ｋＰａ（３２００ｐｓｉ）の付与により圧縮される。ステップ１１４にて、圧縮されたスライバおよび各キャップがストラップ掛けされることで概ね堅固で独立的に安定した梱包物が形成され；且つ、各ストラップは、スライバに対する破損なしで梱包物の取扱いを可能とすべく選択された所望の圧縮密度にて上記梱包物を保持する。ステップ１１６にて上記スライバ梱包物は収集箇所へと引渡され、輸送のために袋詰めされ又はカバー掛けされ得る。
【００３８】
図１０（ａ）および図１０（ｂ）に示された実施例においてスライバは、たとえばドイツ、メンヒェングラートバッハ（Ｍｏｅｎｃｈｅｎｇｌａｄｂａｃｈ）のＴｒｕｅｚｓｃｈｌｅｒ  ＧｍｂＨ  ＆  Ｃｏ．  ＫＧにより製造されたＨＳＲ  １０００（登録商標）高性能練篠機などの高性能練篠機２０１により吐出される。（不図示の）各ケンスから到来して練篠機構に進入する複数本の繊維スライバは、該機構にて練篠され、該練篠機構から出射した後、組み合わされて一本の繊維スライバを形成する。上記繊維スライバは回転プレート２０２を通過してから、ケンス無し様式で、矢印ＣおよびＤの方向において前後に移動するキャリッジ２０３上に配備された基部上にリング状配置にてスライバ積層物２０４として投入載置される。キャリッジ２０３は、たとえば機械制御手段などの電子的な制御調整デバイスに接続された（不図示の）制御可能な駆動モータにより駆動される。参照番号２１０は、スライバ投入載置デバイス（巻取機）に対するカバー・プレートを表し、該カバー・プレートは支持プレート２０７に接続される。参照符号Ｆは上記練篠機における作用方向（繊維材料の流れ）を示し、繊維スライバ２０４は概ね直交方向において回転プレート２０２により投入載置されている。参照番号２０８は投入載置領域を示し、参照番号２０９は投入載置領域２０８の外側の領域を示している。
【００３９】
図１０（ａ）はキャリッジ２０３の一方の端部位置を示し且つ図１０（ｂ）は他方の端部位置を示しており、該キャリッジは繊維スライバ２０４の投入載置の間において方向Ｃ、Ｄにて回転プレート２０２の下方で水平に前後移動する。キャリッジ２０３の上側表面上には、たとえば支柱などの保持機構２３４ａ、２３４ｂが配置され、その上には、矢印Ｍ、Ｎの方向において当該コンベア・ベルト２３３の高さが調節され得る様にコンベア・ベルト２３３が取付けられる。スライバ積層物２０４は、選択的にはコンベア・ベルト２３３の上部２３３ａ上に配置された（図面では示されない）プレート上にて、上部２３３ａ上に投入載置される。スライバの投入載置の間において、上記キャリッジは矢印Ｃ、Ｄの方向に前後移動され得る。スライバ積層物２０４も同様に、矢印Ｃ、Ｄの方向において回転プレート２０２の下方において前後移動される。上記キャリッジが図１０（ａ）に示された端部位置に到達した後で該キャリッジ２０３は矢印Ｄの方向に移動し、その間において該キャリッジ２０３は加速され、一定速度で駆動され、その後に制動される。上記キャリッジが図１０（ｂ）に示された端部位置に到達した後で該キャリッジ２０３は矢印Ｃの方向に後方移動し、その間において該キャリッジ２０３は加速され、一定速度で駆動され、その後に制動される。前後移動の切換えは、いずれもが図中には示されないという駆動モータと組み合わされた制御デバイスにより達成される。
【００４０】
端部位置に到達する毎にコンベア・ベルト２３３は、（不図示の）駆動モータにより例えば１０ｍｍなどの約１本の繊維スライバ厚みだけ方向Ｍにおいて下方に調節される。図１０（ｂ）を参照すると、繊維スライバの投入載置が完了したときに上記ベルトの上部２３３ａは例えば（不図示の）制御式駆動モータにより方向Ｒに移動されることから、スライバ積層物２０４’は、並置された例えば搬送トレイなどの概ね同一高さの支持プレート２３５上へと摺動される。キャリッジ２０３に臨む支持プレート２３５の縁部は、たとえば斜面形成、丸み付けなどが行われ得る。上述された如くもしスライバがコンベア・ベルト２３３上に受容された投入載置用プレート（底部キャップ１８）上へと投入載置されているなら、該プレートはスライバ積層物と共に近傍の支持部上へと摺動可能であり、その場合に該支持部は所望であればプレート２３５を省略し得る。次に、支持プレート２３５（および／または、もし存在するなら投入載置用プレート）上のスライバ積層物２０４’の頂部上へと頂部キャップ１６が載置され得ると共に、その後に上記スライバは例えば、支持プレート２３５、もしくは、もし存在するなら（夫々の場合に底部キャップ１８として作用する）投入載置用プレート、および、上記頂部キャップを含め、図４乃至図８に関して記述された様式で圧縮かつストラップ掛けされる。
【００４１】
上記モータは、揺動無し又は概ね揺動無しの様式で、すなわち円滑にキャリッジ２０３を駆動する可変速度電気モータである。加速と制動との間における速度は一定である。その手段により、図１０（ａ）および図１０（ｂ）に従い投入載置領域２０８内で前後移動する間、および、投入載置領域２０８からの外方移動の間のいずれにおいてもスライバ積層物２０４は確実に安定なままとされる。上記の各移動は、スライバ積層物が滑動せずに、まして転倒などせずに可及的に大きな生産速度が達成される様に制御される。
【００４２】
図１１に示されたケンス無し（ｃａｎ−ｆｒｅｅ）での投入載置を包含する更なる実施例においては、キャリッジ２０３上に例えばプレートなどの揚動用プラットフォーム２３６が配置されるが、該プラットフォームは例えばＤＥ  ４４  ０７  ８４９  Ａ１号からそれ自体が公知である様式で保持要素上に取付けられて矢印Ｏ、Ｐの方向に調節され得る。キャリッジ２０３上には例えば支柱などの支持要素２３７が配備され、該要素上には、たとえば空気圧シリンダ、スピンドル・デバイスなど適切な制御式駆動要素２３９により押圧デバイス２３８が取付けられる。端部位置に到達する毎にプラットフォーム２３６は、たとえば１０ｍｍなどの約１本の繊維スライバ厚みだけ方向Ｐにおいて下方に調節される。揚動用プラットフォーム２３６の表面上に対するスライバ束２０４の投入載置が完了したときに押圧デバイス２３８はスライバ束２０４に抗して矢印Ｓの方向に移動されることから、押圧デバイス２３８からの直接的接触の結果としてスライバ束２０４は揚動用プラットフォーム２３６から支持プレート２３５上へと押圧される。支持プレート２３５はスタンド２４０などに対して着座し、且つ、スライバ積層物２０４と共にスタンド２４０の表面から取り上げられ得る。選択的に、支持プレート２３５の代わりに又は該プレートと共に、投入載置の間においては、投入載置の間においてプラットフォーム２３６上に受容されるプレート（底部キャップ）であってスライバ積層物と共にスタンド２４０上へと又は支持プレート２３５上へと押圧され得るプレート（底部キャップ）が使用され得る。スライバ積層物２０４’上には頂部キャップが載置され得ると共に、該頂部キャップと支持プレート２３５または（夫々の場合に底部キャップ２１８として作用する）投入載置用プレートとの間におけるスライバ積層物２０４’に対して圧縮力が付与可能であり、これに追随して、図４乃至図８に関して上述された様式で、頂部キャップ２０４’と底部キャップ２１８とを備えたスライバ積層物２０４’のストラップ掛けが行われる。
【００４３】
図１２の実施例においては、たとえば制御式の空気圧シリンダである揚動要素２４２ａ、２４２ｂにより矢印Ｔ、ＵおよびＶ、Ｗの方向に上昇および下降され得る揚動用プレート２４１が配備される。揚動用プレート２４１の表面上にはコンベア・ベルト２４３が配備され、そのベルト部分は（不図示の）駆動モータおよび制御手段により矢印Ｘ、Ｙの方向に運動され得る。投入載置の間、上記ベルトの上部２４３ａは回転プレート２０２の下方にて矢印Ｘ、Ｙの方向で前後運動される。上記ベルトの上部２４３ａ上に繊維スライバがスライバ積層物２０４の形態で投入載置された後、上記駆動モータは上記制御手段により、上記ベルトの上部２４３ａが回転プレート２０２の下方において投入載置領域２０８からスライバ積層物２０４を外方移動させ且つそれを支持表面２３５上へと降荷する如く制御される。選択的に、上記で図１０（ａ）、図１０（ｂ）および図１１に関して記述されたのと類似の様式で、所望であればスライバはベルト２４３上に受容された投入載置用プレート（底部キャップ１８）上へと投入載置可能であり、次にそれは（選択的に支持表面２３５を備える）近傍の支持スタンド２４０へとスライバ積層物と共に転送され得る。降荷されたスライバ積層物２０４’は次に、頂部キャップの支援により圧縮されると共に、先の各図に関して記述された如くストラップ掛けされ得る。
【００４４】
図１０（ａ）、図１０（ｂ）、図１１および図１２は、スライバ用ケンス内に配置された底部キャップ上へとスライバが投入載置されるという配置構成とは対照的に、ケンスを使用せずに所定表面上へとスライバが投入載置され、すなわち、スライバが投入載置される表面は概ね囲繞されないという実施例を示している。斯かるケンス無しでの投入載置方法の利点は、練篠機においては、スライバ積層物２０４上には圧力が既に及ぼされ得ることからそれが事前圧縮されることである。これらの実施例においてケンスの使用は完全に省略され得る。
【００４５】
本発明に関する上記記述説明に鑑みると、当業者であれば、本発明は広範囲な有用性および用途が可能であることを容易に理解し得よう。本明細書中に記述された以外の本発明の多くの実施例および適合例、ならびに多くの変形例、改変例および均等な配置構成は、本発明の本質もしくは有効範囲から逸脱することなく、本発明およびその上記記述から明らかであり又はそれにより合理的に示唆される。故に、本発明は本明細書中において好適実施例に関して詳細に記述されたが、この開示は本発明を例証かつ例示するのみであって単に本発明の完全で可能的な開示を提供するために為されていることは理解される。上記の開示は、本発明を限定すること、または、他の一切の斯かる実施例、適合例、変形例、改変例および均等な配置構成を排除することを意図しておらず且つその様に解釈されるべきでなく、本発明は添付の各請求項およびその均等物によってのみ限定される。
【図面の簡単な説明】
【００４６】
【図１】（ａ）本発明に係るスライバ梱包物の概略的斜視図である。  （ｂ）図１（ａ）におけるスライバ梱包物の側面図である。
【図２】積荷されたスライバ用ケンスの斜視図である。
【図３】本発明に係る梱包システムの斜視図である。
【図４】本発明に係る圧縮方法を示す一連の図である。
【図５】本発明に係る圧縮方法を示す一連の図である。
【図６】本発明に係る圧縮方法を示す一連の図である。
【図７】本発明に係る圧縮方法を示す一連の図である。
【図８】本発明に係る圧縮方法を示す一連の図である。
【図９】本発明に係る圧縮方法を示す概略的フローチャートである。
【図１０】（ａ）ケンス無しでのスライバ投入載置のための搬出デバイスとして、投入載置処置の間に上昇および下降され得るコンベア・ベルトを有する実施例の概略的側面図である。  （ｂ）搬出処置の間における図１０（ａ）の実施例の概略的側面図である。
【図１１】ケンス無しでの投入載置機構においてスライバ積層物を交換する押圧デバイスの概略的側面図である。
【図１２】ケンス無しでの投入載置の間における前後移動と、搬出とに対する兼用である比較的長寸のコンベア・ベルトの概略的側面図である。
【符号の説明】
【００４７】
１０    スライバ梱包物
１２    スライバ積層物
１４    側部
１６    頂部キャップ
１８    底部キャップ
１７    対応凹所
２０    ストラップ
３０    スライバ用ケンス
３１    開放頂部
３２    スライバ
３４    基部
４０    ベール作成装置
４２    コンベア
４４    圧縮領域
４６    上昇器区画
４８    ピストン
５０    コンベア
６０    押し棒
６２    剛性プレート
７０    スライバ梱包物
７２    ケンス
２０１    高性能練篠機
２０２    回転プレート
２０３    キャリッジ
２０４    スライバ積層物
２０４’    スライバ積層物
２０７    支持プレート
２０８    投入載置領域
２１８    底部キャップ
２３３    ベルト
２３３ａ    上部
２３４ａ、２３４ｂ    保持機構
２３５    支持プレート
２３６    プラットフォーム
２３７    支持要素
２３８    押圧デバイス
２３９    制御式駆動要素
２４０    支持スタンド
２４１    揚動用プレート
２４２ａ、２４２ｂ    揚動要素
２４３    ベルト
２４３ａ    上部
【図１】
2006096419.tif 000003
【図２】
2006096419.tif 000004
【図３】
2006096419.tif 000005
【図４】
2006096419.tif 000006
【図５】
2006096419.tif 000007
【図６】
2006096419.tif 000008
【図７】
2006096419.tif 000009
【図８】
2006096419.tif 000010
【図９】
2006096419.tif 000011
【図１０】
2006096419.tif 000012
【図１１】
2006096419.tif 000013
【図１２】
2006096419.tif 000014
【手続補正書】
【提出日】平成17年11月29日(2005.11.29)
【手続補正１】
【補正対象書類名】特許請求の範囲
【補正対象項目名】全文
【補正方法】変更
【補正の内容】
【特許請求の範囲】
【請求項１】
綿スライバの輸送のために該綿スライバを梱包する方法であって、
概ね均一な第１密度を有するパターンをなして上記スライバを概ね長楕円形のスライバ用ケンスの内側に配設された底部キャップ上に布置する段階と、
上記布置されたスライバの頂上に頂部キャップを載置する段階と、
上記頂部および底部キャップに対して圧力を付与することで上記スライバを上記第１密度よりも概ね大きな第２密度へと圧縮する段階であって、その結果として圧縮されたスライバは概ね堅固であるという段階と、
上記圧縮されたスライバおよび各キャップをストラップ掛けして概ね堅固な梱包物を形成する段階とを備えて成る、
綿スライバを梱包する方法。
【請求項２】
前記圧縮されたスライバを前記スライバ用ケンスから押し出す段階を更に備えて成る、請求項１記載の綿スライバを梱包する方法。
【請求項３】
前記梱包物を保護用外側カバー内に載置する段階を更に備えて成る、請求項１または２に記載の綿スライバを梱包する方法。
【請求項４】
前記各キャップは、前記ストラップ掛けと組み合わされて前記スライバ梱包物の分解を防止するに十分な剛性を有する材料で形成される、請求項１から３のいずれか一項に記載の綿スライバを梱包する方法。
【請求項５】
前記各キャップの少なくとも一方は段ボール紙で形成される、請求項１から４のいずれか一項に記載の綿スライバを梱包する方法。
【請求項６】
前記各キャップの少なくとも一方は繊維板で形成される、請求項１から５のいずれか一項に記載の綿スライバを梱包する方法。
【請求項７】
前記各キャップは、前記ストラップ掛けの位置を決定してそれを受け入れる凹所を備える、請求項１から６のいずれか一項に記載の綿スライバを梱包する方法。
【請求項８】
前記各キャップに付与される前記圧力は少なくとも２２０６３．２３ｋＰａ（３２００ｐｓｉ）である、請求項１から７のいずれか一項に記載の綿スライバを梱包する方法。
【請求項９】
連続長さの綿スライバの輸送のために該綿スライバを梱包する方法であって、
上記スライバを練篠機から引き出す段階と、
概ね均一な非圧縮密度を有するパターンをなして上記スライバを、長さ方向寸法が幅方向寸法よりも概ね長寸であるという長さ方向寸法および幅方向寸法を有するケンス内に布置する段階と、
上記ケンスを圧縮ベール作成機へと引渡す段階と、
上記ケンスの基部から上方へと上記スライバを加圧することでスライバ端部を圧縮して該スライバを上記ケンスから取出す段階と、
上記スライバにストラップを掛けることで、スライバ梱包物を形成し、且つ、該梱包物の取扱いを可能とすべく選択された所望の圧縮密度にて該梱包物を保持する段階とを備えて成る、
梱包方法。
【請求項１０】
前記スライバに対して頂部および底部キャップを装着することで、圧縮と、該圧縮の保持とを促進する段階を更に備えて成る、請求項９記載の梱包方法。
【請求項１１】
前記各キャップは、前記ストラップ掛けと組み合わされて前記スライバ梱包物の分解を防止するに十分な剛性を有する材料で形成される、請求項１０記載の綿スライバを梱包する方法。
【請求項１２】
前記各キャップの少なくとも一方は段ボール紙で形成される、請求項１０または１１に記載の綿スライバを梱包する方法。
【請求項１３】
前記各キャップの少なくとも一方は繊維板で形成される、請求項１０または１１に記載の綿スライバを梱包する方法。
【請求項１４】
前記各キャップは、前記ストラップ掛けの位置を決定してそれを受け入れる凹所を備える、請求項１０乃至１３のいずれか一項に記載の綿スライバを梱包する方法。
【請求項１５】
前記梱包物を保護用袋体内に載置する段階を更に備えて成る、請求項９乃至１４のいずれか一項に記載の綿スライバを梱包する方法。
【請求項１６】
前記スライバを加圧する前記段階は前記各キャップに対して少なくとも２２０６３．２３ｋＰａ（３２００ｐｓｉ）にて圧力を付与する段階を含む、請求項９乃至１５のいずれか一項に記載の綿スライバを梱包する方法。
【請求項１７】
綿スライバの輸送のために該綿スライバを効率的に梱包するシステムであって、
幅方向寸法と、該幅方向寸法よりも概ね大きい長さ方向寸法とを有する長楕円形のスライバ用ケンスであって、開放頂部を介して投入載置されたスライバを均一密度にて受容すべく且つ蓄積されたスライバの積層物が梱包時に当該ケンスを介して上方に押圧されるのを許容すべく構成された長楕円形のスライバ用ケンスと、
上記スライバ積層物の底面に対して選択圧力を付与することで該スライバを所望密度へと圧縮すべく構成された少なくとも一本の押し棒を含み、且つ、上記スライバ積層物の頂面に対して反対圧力を付与する手段を含むベール作成装置と、
上記圧縮されたスライバ積層物に対して一本以上のストラップを掛けることで、該圧縮されたスライバ積層物をスライバ梱包物として圧縮状態にて保持するストラップ掛け装置とを備えて成る、
システム。
【請求項１８】
前記スライバを生成し、且つ、該スライバの投入載置を前記ケンス内へと導向する練篠機を更に備えて成る、請求項１７記載のシステム。
【請求項１９】
積荷されたケンスを前記練篠機から前記ベール作成装置へと引渡すコンベアを更に備えて成る、請求項１８記載のシステム。
【請求項２０】
前記スライバ梱包物を前記ベール作成装置から押圧する手段を更に備えて成る、請求項１７乃至１９のいずれか一項に記載のシステム。
【請求項２１】
長楕円形の占有面積と概ね均一な初期密度とを有する積層物へと蓄積されると共に、上記積層物は概ね更に大きい概ね均一な圧縮密度へと圧縮されているという概ね連続長さの綿スライバと、
上記積層物の頂部上に配設されると共に、該積層物の占有面積と概ね同一の占有面積を有する頂部キャップと、
上記積層物の底部上に配設されると共に、該積層物の占有面積と概ね同一の占有面積を有する底部キャップと、
上記圧縮された積層物および上記各キャップの回りに配設されて該積層物を圧縮状態に保持する複数本のストラップとを備えて成る、
効率的輸送に適したスライバ梱包物。
【請求項２２】
前記ストラップ掛けされた積層物に対する保護カバーを更に備えて成る、請求項２１記載のスライバ梱包物。
【請求項２３】
前記各キャップの少なくとも一方は繊維板で形成される、請求項２１または２２に記載のスライバ梱包物。
【請求項２４】
前記各キャップの少なくとも一方は段ボール紙で形成される、請求項２１乃至２３のいずれか一項に記載のスライバ梱包物。
【請求項２５】
前記各キャップの少なくとも一方はプラスチックで形成される、請求項２１乃至２４のいずれか一項に記載のスライバ梱包物。
【請求項２６】
前記ストラップ掛けされた積層物は合着単位体であるべく十分に堅固である、請求項２１乃至２５のいずれか一項に記載のスライバ梱包物。
【請求項２７】
前記繊維スライバは綿および／または合成繊維および／または合成繊維配合物から成る、請求項２１乃至２６のいずれか一項に記載のスライバ梱包物。